(57)【特許請求の範囲】
【請求項１】
水平に沿う軸線を中心に揺動可能に設けられるとともに該軸線よりも下部が、載置された飲料容器の側方を囲む壁部から前記飲料容器の方向に付勢されて突出する支持部材を備えたカップホルダにおいて、
前記支持部材は、前記軸線に平行な平坦面を下側に有し外周側に凹凸がある飲料容器が持ち上げられる際に該飲料容器の外周側の凸部に前記平坦面で当接して前記軸線よりも下側に向く力を発生させる形状のガイド部と、該ガイド部から前記軸線に近接するように屈曲して延出する支持部とを有することを特徴とするカップホルダ。
【請求項２】
前記支持部材は、前記ガイド部より下側に前記軸線を中心とする円筒面を有することを特徴とする請求項１記載のカップホルダ。
【発明の詳細な説明】
【０００１】
【発明の属する技術分野】
本発明は、走行車両の乗員室において飲料容器を安定状態で載置させるためのカップホルダに関する。
【０００２】
【従来の技術】
走行車両の乗員室において飲料容器を安定状態で載置させるためのカップホルダに関する技術として、例えば、特開平１１−３０１３３３号公報や、特開２００２−１４４９４１号公報に開示されたものがある。これら公報のカップホルダにおいては、水平に沿う軸線を中心に揺動可能に設けられ、載置された飲料容器の側方を囲む壁部から飲料容器の方向に付勢されて突出する支持部材を備えている。
【０００３】
【発明が解決しようとする課題】
ところで、例えばＰＥＴボトル等の合成樹脂製の飲料容器においては、主として強度を確保することを目的として外周側に環状の凹部および凸部が形成されている。このように、外周側に凹凸がある飲料容器を上記カップホルダに挿入し載置させた場合に、この状態から持ち上げようとしたときに、付勢されて飲料容器に当接している支持部材が、飲料容器の外周側の凸部に当接して引っ掛かり、抜けなくなってしまうという問題があった。この場合には、手で支持部材を壁部側に引っ込めて引っ掛かりを解除する必要があり、引き抜きに手間がかかってしまう。
【０００４】
したがって、本発明は、外周側に凹凸がある飲料容器を挿入し載置させた場合であってもこれを円滑に持ち上げて引き抜くことができるカップホルダの提供を目的とする。
【０００５】
【課題を解決するための手段】
上記目的を達成するために、請求項１に係る発明は、水平に沿う軸線（例えば実施の形態における軸線Ｏ）を中心に揺動可能に設けられるとともに該軸線よりも下部が、載置された飲料容器（例えば実施の形態における飲料容器１２）の側方を囲む壁部（例えば実施の形態における挿入壁部２３）から前記飲料容器の方向に付勢されて突出する支持部材（例えば実施の形態における支持部材２７）を備えたカップホルダ（例えば実施の形態におけるカップホルダ１１）において、前記支持部材は、前記軸線に平行な平坦面（例えば実施の形態における平坦面３８）を下側に有し外周側に凹凸がある飲料容器が持ち上げられる際に、該飲料容器の外周側の凸部（例えば実施の形態における凸部４３）に前記平坦面で当接して前記軸線よりも下側に向く力（例えば実施の形態における力Ｆ）を発生させる形状のガイド部（例えば実施の形態におけるガイド部３７）と、該ガイド部から前記軸線に近接するように屈曲して延出する支持部（例えば実施の形態における支持部４０）とを有することを特徴としている。
【０００６】
これにより、外周側に凹凸がある飲料容器を載置させると、支持部材は揺動中心の軸線よりも下部が壁部よりも飲料容器側に突出して飲料容器を支持することになるが、この状態から飲料容器が持ち上げられ、飲料容器の外周側の凸部が支持部材の揺動中心の軸線よりも下部側のガイド部に当接すると、このガイド部が支持部材の揺動中心の軸線よりも下側に向く力を発生させることになる。よって、揺動中心の軸線よりも下部側のガイド部は上記軸線を中心に飲料容器から離間する方向に円滑に移動し、その結果、支持部材が飲料容器から離間する方向に円滑に揺動する。
【０００８】
また、支持部材のガイド部が平坦面を有するため、平坦面とすることで上記のように支持部材の揺動中心の軸線よりも下側に向く力を発生させる形状にすることが容易となる。
【００１１】
請求項２に係る発明は、請求項１に係る発明において、前記支持部材は、前記ガイド部より下側に前記軸線を中心とする円筒面（例えば実施の形態における円筒面３２）を有することを特徴としている。
【００１２】
このように、支持部材のガイド部より下側に支持部材の揺動中心の軸線を中心とする円筒面を有するため、この円筒面により支持部材の揺動を案内することができる。
【００１３】
【発明の実施の形態】
本発明の一実施形態のカップホルダを図面を参照して以下に説明する。
【００１４】
本実施形態のカップホルダ１１は、走行車両の乗員室において飲料容器１２を安定状態で載置させるためのもので、乗員室内のセンタークラスタやコンソールボックス等に設けられるものである。
【００１５】
カップホルダ１１は、図１および図２に示すように、その上部において水平に沿って配置される上部カバー１５と、上部カバー１５の下側に配置されるホルダ本体１６とを有している。
【００１６】
カップホルダ１１は、具体的には二本の飲料容器１２を並列に載置可能となっており、これに合わせて上部カバー１５は、互いの近接側がつなげられた形状の二カ所の略円形状の挿入開口部１８を有している。これら挿入開口部１８は、それぞれが例えば５００ｍｌ入りの飲料容器１２を挿入可能な大きさとされている。
【００１７】
ホルダ本体１６は、互いの近接側がつなげられた形状の二カ所の断面略円形状の載置凹部２０を横方向に並列させた形状とされている。すなわち、ホルダ本体１６は、二カ所の略円形状の載置底部２１と、これら載置底部２１同士をつなげる連結底部２２とを有しており、各載置底部２１の外周縁部から略鉛直に立設された二カ所の略円筒状の挿入壁部２３と、連結底部２２の両端縁部から略鉛直に立設されて挿入壁部２３同士をつなげる二カ所の連結壁部２４とを有している。
【００１８】
また、ホルダ本体１６には、各挿入壁部２３に、上下に長い形状の配設穴部２６がそれぞれ複数設けられており、具体的にはそれぞれ四カ所ずつ設けられている。これら配設穴部２６は、各挿入壁部２３の円周方向において等間隔をなす位置にそれぞれ設けられている。
【００１９】
カップホルダ１１は、各載置凹部２０に挿入されて各載置底部２１に載置された飲料容器１２の側方を囲む各挿入壁部２３から飲料容器１２の方向に付勢されて突出する支持部材２７を備えている。
【００２０】
支持部材２７は、各配設穴部２６にそれぞれ設けられている。その結果、支持部材２７は、各載置凹部２０に対しそれぞれ複数具体的にはそれぞれ四つずつ設けられており、各挿入壁部２３の円周方向において等間隔をなす位置にそれぞれ設けられている。
【００２１】
各支持部材２７は、それぞれ、図３に示すように、載置凹部２０の配設穴部２６の近傍において水平に沿って配置された支持軸２９に揺動可能に支持されており、その結果、支持軸２９の水平に沿う中心軸線Ｏを中心に揺動可能となっている。ここで、各支持軸２９は、具体的には配設穴部２６の近傍において挿入壁部２３の接線方向に沿って配置されている。
【００２２】
各支持軸２９には、それぞれ、支持部材２７を付勢する付勢部材としてのネジリバネ３０が設けられており、各支持部材２７は、それぞれ、ネジリバネ３０の付勢力によって、支持軸２９よりも下部すなわち揺動中心の軸線Ｏよりも下部が、載置された飲料容器１２の側方を囲む挿入壁部２３から飲料容器１２の方向に付勢されて突出する。
【００２３】
ここで、各支持部材２７は、それぞれ、ネジリバネ３０で付勢された状態で、その上端部がホルダ本体１６の上端部の内周面に当接することでそれ以上の飲料容器１２の方向への揺動が規制されるようになっている。
【００２４】
各支持部材２７は、最も下部に、上記揺動中心の軸線Ｏを中心とした円筒面３２を下方に向けた揺動案内部３３が形成されており、この揺動案内部３３に近接して対向するホルダ本体１６の配設穴部２６の下部端縁部にも、上記揺動中心の軸線Ｏを中心とした円筒面３４を上方に向けた揺動案内部３５が形成されている。
【００２５】
各支持部材２７は、揺動案内部３３の上側に揺動案内部３３よりも上記揺動中心の軸線Ｏに近接するように揺動案内部３３から若干屈曲して延出するガイド部３７が形成されている。このガイド部３７は、上記揺動中心の軸線Ｏに平行な平坦面３８を下側に有している。この平坦面３８は、支持部材２７の揺動位置に拘わらず常に下側にありかつ載置凹部２０への突出先端側ほど上側に位置するように傾斜することになるが、支持部材２７が最も載置凹部２０側に位置するとき、突出先端側が最も上側に位置するとともに平坦面３８の水平に対する傾斜角度が大きくなり、支持部材２７が最も載置凹部２０に対し反対側に位置するとき、突出先端側が最も下側に位置するとともに平坦面３８の水平に対する傾斜角度が小さくなる。
【００２６】
各支持部材２７は、ガイド部３７の上側にガイド部３７よりも上記揺動中心の軸線Ｏに近接するようにガイド部３７から屈曲して延出する支持部４０と、この支持部４０の上側に上記揺動中心の軸線Ｏを中心とした略円弧状に延出しホルダ本体１６の上端部の内周面に当接可能なストッパ部４１とを有している。ここで、支持部４０は、支持部材２７が最も載置凹部２０に対し反対側に位置し挿入壁部２３と位置が合う状態でほぼ鉛直に沿うようになっており、支持部材２７が最も載置凹部２０側に位置するときには、載置凹部２０への突出先端側ほど下側に位置するように傾斜する。
【００２７】
そして、各支持部材２７の上記したガイド部３７は、図４に示すように、外径側（外周側）に凹凸がある飲料容器１２が載置された状態から持ち上げられる際に、この飲料容器１２の外径側の凸部４３に当接するガイド部３７が上記した揺動中心の軸線Ｏよりも下側に向く力Ｆを発生させる形状をなしている。
【００２８】
すなわち、ガイド部３７は、このカップホルダ１１に挿入状態で載置可能な大きさの飲料容器１２であれば、飲料容器１２の径および形状に拘わらず常に上記方向に力Ｆを発生させる形状をなしており、その形状は、例えば、流通する飲料容器１２のうちこのカップホルダ１１に挿入状態で載置可能な飲料容器１２を調べることによって割り出される。
【００２９】
以上の構成の本実施形態のカップホルダ１１において、載置凹部２０に飲料容器１２を挿入し載置底部２１に載置させると、ネジリバネ３０の付勢力で載置凹部２０内に最も突出しストッパ部４１をホルダ本体１６の上端部の内周面に当接させていた支持部材２７は、支持部４０が飲料容器１２の底部に押されて、飲料容器１２の外径に合うように適宜引っ込んで、図３に示すように、ネジリバネ３０の付勢力で飲料容器１２を付勢する。すると、載置凹部２０に載置された飲料容器１２が支持部材２７で支持されて水平方向の移動が規制される。このとき、支持部材２７のガイド部３７より下側の揺動案内部３３がホルダ本体１６の揺動案内部３５で案内されることにより、支持部材２７が正確に揺動する。
【００３０】
この状態から飲料容器１２が持ち上げられる際に、ネジリバネ３０の付勢力で飲料容器１２の外径側の凹部４５に支持部材２７が一部入り込むことがあると、その後、図４に示すように、凹部４５の下側の凸部４３の上側部分（凹部４５よりも少しでも高い傾斜面を含む）が支持部材２７の揺動中心の軸線Ｏよりも下部側のガイド部３７に当接することになる。このとき、このガイド部３７が支持部材２７の揺動中心の軸線Ｏよりも下側に向く力Ｆを発生させることになるため、揺動中心の軸線Ｏよりも下部側のガイド部３７はこの揺動中心の軸線Ｏを中心に飲料容器１２から離間する方向に円滑に移動し、その結果、支持部材２７が飲料容器１２から離間する方向に円滑に揺動する。
【００３１】
したがって、外径側に凹凸がある飲料容器１２を挿入し載置させた場合であってもこれを円滑に持ち上げて引き抜くことができる。
【００３２】
そして、飲料容器１２がカップホルダ１１の載置凹部２０から引き抜かれると、飲料容器１２の当接が解除された支持部材２７は、ネジリバネ３０の付勢力で載置凹部２０内に最も突出するように揺動しストッパ部４１をホルダ本体１６の上端部の内周面に当接させて停止する。このとき、支持部材２７のガイド部３７より下側の揺動案内部３３がホルダ本体１６の揺動案内部で案内されることによって、支持部材２７が正確に揺動する。
【００３３】
なお、上記のように支持部材２７のガイド部３７を平坦面３８を有する形状とすることで、上記のように支持部材２７の揺動中心の軸線Ｏよりも下側に向く力Ｆを発生させる形状にすることが容易となる。
【００３５】
また、以上においては、載置凹部２０が円筒状をなす場合を例にとり説明したが、角筒状をなすものにおいても適用可能である。この場合、各支持部材を支持する各支持軸は、載置凹部を構成する挿入壁部に平行に配置されることになる。
【００３６】
図３および図４では、飲料容器１２が載置凹部２０の片側に偏って載置されている場合を示しているが、勿論、載置凹部２０の中央に載置される場合等を含め、いずれの位置に載置されていても同様である。
【００３７】
【発明の効果】
以上詳述したように、請求項１に係る発明によれば、外周側に凹凸がある飲料容器を載置させると、支持部材は揺動中心の軸線よりも下部が壁部よりも飲料容器側に突出して飲料容器を支持することになるが、この状態から飲料容器が持ち上げられ、飲料容器の外周側の凸部が支持部材の揺動中心の軸線よりも下部側のガイド部に当接すると、このガイド部が支持部材の揺動中心の軸線よりも下側に向く力を発生させることになる。よって、揺動中心の軸線よりも下部側のガイド部は上記軸線を中心に飲料容器から離間する方向に円滑に移動し、その結果、支持部材が飲料容器から離間する方向に円滑に揺動する。したがって、外周側に凹凸がある飲料容器を挿入し載置させた場合であってもこれを円滑に持ち上げて引き抜くことができる。
【００３８】
また、支持部材のガイド部が平坦面を有するため、平坦面とすることで上記のように支持部材の揺動中心の軸線よりも下側に向く力を発生させる形状にすることが容易となる。
【００４０】
請求項２に係る発明によれば、支持部材のガイド部より下側に支持部材の揺動中心の軸線を中心とする円筒面を有するため、この円筒面により支持部材の揺動を案内することができる。したがって、支持部材を正確に揺動させることができる。
【図面の簡単な説明】
【図１】  本発明の一実施形態のカップホルダを示す一方向から見た斜視図である。
【図２】  本発明の一実施形態のカップホルダを示す別の方向から見た斜視図である。
【図３】  本発明の一実施形態のカップホルダを示す断面図であって、飲料容器が載置された状態を示すものである。
【図４】  本発明の一実施形態のカップホルダを示す断面図であって、飲料容器が持ち上げられた状態を示すものである。
【符号の説明】
１１  カップホルダ
１２  飲料容器
２３  挿入壁部
２７  支持部材
３２  円筒面
３７  ガイド部
３８  平坦面
４３  凸部
４７  円筒面
Ｏ  軸線
【図１】
0003725505.tif 000002
【図２】
0003725505.tif 000003
【図３】
0003725505.tif 000004
【図４】
0003725505.tif 000005